(57)【特許請求の範囲】
【請求項１】
過電流検出用のバイメタルに対向してしゃ断器引外し機構のトリップクロスバーに過電流引外し動作点調整用の調整ねじを植設したしゃ断器のバイメタル式過電流引外し機構において、樹脂成形品からなるトリップクロスバーに調整ねじの周面に向けて突き出したばね性を有する係止舌片を該トリップクロスバーと一体に成形し、該舌片の先端を調整ねじの周面に形成した平坦なカット面に押し当てて調整ねじを動作設定位置に回り止め固定したことを特徴とするしゃ断器のバイメタル式過電流引外し機構。
【請求項２】
請求項１記載の過電流引外し機構において、調整ねじのカット面を、ねじ軸の長手方向に沿ってその周面の少なくとも一部を切欠いて形成したことを特徴とするしゃ断器のバイメタル式過電流引外し機構。
【発明の詳細な説明】
【０００１】
【発明の属する技術分野】
本発明は、配線用しゃ断器，漏電しゃ断器などを実施対象に、該しゃ断器に組み込んだバイメタル式過電流引外し機構に関する。
【０００２】
【従来の技術】
まず、漏電しゃ断器を例に、従来におけるしゃ断器のバイメタル式過電流引外し機構を図５に示す。図において、１は樹脂ケース、２は電源側端子台、３は負荷側端子台、４は固定接触子、５は可動接触子、６は開閉機構、７は操作ハンドル、８は撚り線を採用した主回路導体、９は地絡電流検出用の零相変流器、１０は過電流検出用のバイメタル、１１はしゃ断器引外し機構のトリップクロスバー、１２は先端をバイメタル１０に対向させてトリップクロスバー１１に植設した引外し動作点調整用の調整ねじである。
【０００３】
かかる構成によるしゃ断器の過電流引外し動作は周知であり、負荷電流は電源側端子台２より固定接触子４，可動接触子５，バイメタル１０，導体８，零相変流器９を経て負荷側端子台３に流れる。ここで、何等かの異常で過電流が流れると、バイメタル１０が昇温して矢印Ａ方向に撓み、調整ねじ１２を介してトリップクロスバー１１を押す。これにより、図示されてないラッチ機構が外れて開閉機構６が応動動作し、可動接触子５を固定接触子４から解離して電流をしゃ断する。
【０００４】
なお、過電流引外し動作点の設定は調整ねじ１２とバイメタル１０との間のギャップｇを調整して行い、設定後は調整ねじ１２の弛み（使用中に調整ねじが弛むと過電流引外し動作点が変動する）を防ぐために、調整ねじ１２のねじ頭とトリップクロスバー１１との間の隙間を埋めるようにねじロック（接着剤）１３を塗布して調整ねじ１２を設定位置に固定するようにしている。
【０００５】
【発明が解決しようとする課題】
ところで、前記した従来構成、特に調整ねじ１２をねじロック１３で固定する方式では、しゃ断器の組立工程上で次記のような難点がある。
すなわち、調整ねじ１２に塗布したねじロック１３が完全に硬化するまでにはかなりの時間を要し、仮に未硬化状態のまま次の組立工程でしゃ断器の組立体を裏返ししたりすると、ねじロック１３が塗布箇所から流動して調整ねじ１２の固定が不完全になったり、さらには塗布箇所から流下したねじロック１３がケース１などに付着してトリップクロスバー１１の動きを拘束するといった不具合を引き起こすことがある。また、初期設定後に過電流引外し動作点を再調整，変更する場合には、硬化したねじロック１３を取り除いた状態で調整ねじ１２を新しい調整位置に設定した後、改めてねじロック１３を塗布，硬化させる必要があって調整作業に手間が掛かる。
【０００６】
本発明は上記の点にかんがみなされたものであり、調整ねじの固定手段として、硬化時間を必要とするねじロックの代わりに、簡易な機械的係止手段で調整ねじを動作設定位置に係止固定できるようにしたしゃ断器のバイメタル式過電流引外し機構を提供することを目的とする。
【０００７】
【課題を解決するための手段】
上記目的を達成するために、本発明によれば、樹脂成形品からなるトリップクロスバーに調整ねじの周面に向けて突き出したばね性を有する係止舌片を該トリップクロスバーと一体に成形し、該舌片の先端を調整ねじの周面に形成した平坦なカット面に押し当てて調整ねじを動作設定位置に回り止め固定するものとする。
【０００８】
また、前記構成において、調整ねじのカット面を、ねじ軸の長手方向に沿ってその周面の少なくとも一部を切欠いて形成するようにしてもよい。
【０００９】
上記の構成において、調整ねじの設定位置でその周面に形成した平坦なカット面にばね性を有する係止舌片の先端を押し当てることにより、調整ねじは自由に回ることができずにその位置に拘束保持される。したがって、しゃ断器の使用中に調整ねじが弛んで過電流引外し動作点が不測に変動するおそれはない。しかも、ねじロックのように硬化時間が必要なく、かつ係止舌片の抗力を上回る力を加えて調整ねじを回すことでしゃ断器の動作設定点の変更，再調整を簡単に行うことができる。
【００１０】
【発明の実施の形態】
以下、本発明の実施例を図面に基づいて説明する。なお、実施例の図中で図５に対応する同一部材には同じ符号が付してある。
まず、図１の実施例において、バイメタル１０に対向配置した引外し機構のトリップクロスバー１１の背面側には調整ねじ１２の周面に向けて突き出したばね性を有する係止舌片１４が設けてある。一方、図３，あるいは図４で示すように、調整ねじ１２の周面一部にはねじ軸の長手方向に沿って平坦なカット面１２ａが切欠き形成されている。なお、図３の調整ねじ１２ではカット面１２ａが周面上の片側１箇所に、また図４は両側２箇所に切欠き形成されている。そして、トリップクロスバー１１に調整ねじ１２を螺合した状態で、調整ねじ１２の前記カット面１２ａに係止舌片１４の先端を押し当てることにより、調整ねじ１２はその位置から自由に回転できないように拘束される。この場合に、図３の調整ねじ１２を使用した場合には、ねじが１回転するごとに舌片１４で係止固定され、また図４の調整ねじ１２を使用した場合には、半回転ごとに係止固定される。なお、調整ねじ１２を係止固定した状態でも、係止舌片１４の抗力を上回り力を加えて調整ねじ１２を回すことにより、過電流引外し動作点の変更，再調整を随時自由に行うことが可能である。
【００１１】
なお、定格電流３０Ａ以下の漏電しゃ断器では、調整ねじ１２として、通常は呼び径Ｍ1.６〜２程度のメートル細目ねじが使用されており、そのねじピッチは0.２〜0.２５mm程度の微小なピッチである。したがって、過電流引外し動作点の調整（調整ねじ１２の先端とバイメタル１０との間のギャップｇの調整）には、図３のようにカット面１２ａを片側１箇所にのみ形成した調整ねじ１２でも実用上で十分な分解能が得られる。なお、図４のように両側２箇所にカット面１２ａを形成した調整ねじを採用すれば、過電流引外し動作点の調整分解能をさらに高めることができる。
【００１２】
また、図１において、トリップクロスバー１１が樹脂成形品である場合には、前記の係止舌片１４をトリップクロスバー１１と一体に成形することができる。なお、図２で示すように係止舌片１４をトリップクロスバー１１とは別部品として板ばねで作り、該係止舌片１４の取付け基部をトリップクロスバー１１にねじ止めすることもできる。
【００１３】
【発明の効果】
本発明のバイメタル式過電流引外し機構は、以上説明したように構成されているので、調整ねじの固定手段にねじロックを塗布した従来のものと較べて次記の効果を奏する。
１）ねじロックのように硬化時間が必要なく、また組立工程の途中で未硬化のねじロックが流動してしゃ断器ケースなどに付着するといった不良発生のおそれがない。
【００１４】
２）しゃ断器を組立てた後の状態でも、係止舌片の抗力を上回る力を加えて調整ねじを回すことにより、過電流引外し動作点の再調整，変更を簡単に行うことができる。
【図面の簡単な説明】
【図１】本発明の実施例による過電流引外し機構の要部構成図
【図２】本発明の応用実施例の要部構成図
【図３】図１の過電流引外し機構に採用する調整ねじの構造図であり、（ａ）はねじの端面図、（ｂ）は側面図
【図４】図１の過電流引外し機構に採用する調整ねじの応用実施例を示し、（ａ）はねじの端面図、（ｂ）は側面図
【図５】漏電しゃ断器の従来構成図
【符号の説明】
５    可動接触子
８    導体
１０    バイメタル
１１    トリップクロスバー
１２    調整ねじ
１２ａ  カット面
１４    係止舌片
ｇ    過電流引外し動作点の調整ギャップ
【図１】
0003684630.tif 000002
【図２】
0003684630.tif 000003
【図３】
0003684630.tif 000004
【図４】
0003684630.tif 000005
【図５】
0003684630.tif 000006